(57)【要約】【課題】調理時の火力調整のための調理部の高さ調整を容易に行うことができ、また調理中の燃料補給も容易に行なえるバーベキュー用コンロを提供する。【解決手段】火床部を備えた箱状本体１１と、前記箱状本体の上部に、食品の加熱調理を行う調理部（網体等）２を配置してなるコンロにおいて、前記調理部に、箱状本体周壁に沿う支持脚部（一方を傾斜支持脚３２とする）を垂設し、前記傾斜支持脚の傾斜角度方向にスライド移動するガイド機構（傾斜ガイド孔３４と、突軸３３）を設け、前記傾斜支持脚の下面側と、前記下面と対接する箱状本体周壁側との間に係止機構（ガイド枠３５と係止凹部３６）を設け、傾斜支持脚の傾斜角度で移動すると共に、調理部の自重によって所定位置で係止する。【選択図】図３
2010002177.tif 000002
【特許請求の範囲】
【請求項１】
脚を備えると共に、火床部を内設し、周壁適宜位置に空気孔を設けた箱状本体と、前記箱状本体の上部に、食品の加熱調理を行うことのできる調理部を配置してなるバーベキュー用コンロにおいて、前記調理部に、箱状本体周壁に沿う支持脚部を垂設し、前記支持脚部と周壁との間に、調理部の上下方向へのスライド移動のためのガイド機構及び調理部の高さ位置設定を行う係止機構を設けてなることを特徴とするバーベキュー用コンロ。
【請求項２】
支持脚部を構成する支持脚のうち、対向する一対を傾斜支持脚とし、前記傾斜支持脚の傾斜角度方向にスライド移動するガイド機構を設け、前記傾斜支持脚の下面側と、前記下面と対接する箱状本体周壁側との間に係止機構を設けてなる請求項１記載のバーベキュー用コンロ。
【請求項３】
支持脚を前方鉛直脚と後方傾斜脚とで三角形状に形成し、交差箇所に突軸を形成すると共に、前記突軸が貫通する傾斜ガイド孔を箱状本体周壁側に設けてガイド機構としてなる請求項２記載のバーベキュー用コンロ。
【請求項４】
調理部を、支持脚を備えると共に両側外方に把手部を付設した枠体と、枠体内に配置できる調理板部で構成した請求項１乃至３記載の何れかのバーベキュー用コンロ。
【発明の詳細な説明】
【技術分野】
【０００１】
本発明は、火床と焼き網や鉄板等との距離（火力）を調整でき、また調理途中に燃料補給ができるようにしたバーベキュー用コンロに関するものである。
【背景技術】
【０００２】
バーベキュー用コンロは種々のものが知られているが、火床と焼き網や鉄板等との距離（調理火力）を調整できるようにしたものとしては、箱型容器状本体（火床となる）の周壁に支持柱を起立させ、当該支持柱に焼き網や鉄板の載置部を多段に設け、前記載置高さを選択して焼き網・鉄板を装着する構造が知られている（特許文献１，２）。
【０００３】
また箱型容器状本体（火床となる）の対向周壁に架設した少なくとも２個以上の支持腕杆の上に焼き網・鉄板を載置し、前記支持腕杆を回動固定して焼き網・鉄板の高さを設定している構造も知られている（特許文献３）。
【０００４】
更に調理途中に木炭等の燃料を補給できるコンロとしては、特許文献４（特許３８５７５７７号公報）に示すように、調理板部に付設した回動脚の先端を本体に回動可能に装着し、回動脚の回動で調理板部を本体の背面上方に移動させ、本体の上面の前方側を開口して本体への燃料供給を可能としている器具が開示されている。
【先行技術文献】
【特許文献】
【０００５】
【特許文献１】意匠登録８６４０５９号公報。
【特許文献２】特開平９−８４７００号公報。
【特許文献３】実登２５３７７９８号公報。
【特許文献４】特許３８５７５７７号公報。
【発明の概要】
【発明が解決しようとする課題】
【０００６】
前記の特許文献１，２記載の支持柱を採用する構造においては、載置箇所の選択のために焼き網・鉄板を所望の箇所に載置する必要があり、狭い載置部に焼き網・鉄板を正しく載置する必要があり載置作業が煩雑であると共に、焼き網・鉄板を低い位置に載置した場合に、支持柱が焼き網・鉄板の周囲に直立することになり、調理作業の邪魔になるという問題も有する。勿論調理途中の燃料補充も本体と調理板部との隙間から行なうことになり、実質的に燃料補充は困難である。
【０００７】
また前記の特許文献３記載の回動支持腕を採用する構造においては、調理作業における障害は生じないが、回動支持腕が所定位置で固定状態とするための操作機構が必要であり、製造上煩雑であるという問題を有している。勿論特許文献１，２，３開示の器具では、調理途中の燃料補充も本体と調理板部との隙間から行なうことになり、実質的に燃料補充は困難である。
【０００８】
また特許文献４記載の器具は、調理板部を回動操作させるために左右回動脚と連続した操作杆を備えており、通常の調理時には前記操作杆が本体外（本体前方）に位置しているが、燃料供給時には本体の上方に位置することになって熱くなるという問題があるし、また多段の火力調整ができない。
【０００９】
そこで本発明は、調理部の高さ調整並びに調理中の燃料補給も容易に行なうことができる操作性・作業性に優れた新規なバーベキュー用コンロを提案したものである。
【課題を解決するための手段】
【００１０】
本発明に係るバーベキュー用コンロは、脚を備えると共に、火床部を内設し、周壁適宜位置に空気孔を設けた箱状本体と、前記箱状本体の上部に、食品の加熱調理を行うことのできる調理部を配置してなるコンロにおいて、前記調理部に、箱状本体周壁に沿う支持脚部を垂設し、前記支持脚部と周壁との間に、調理部の上下方向へのスライド移動のためのガイド機構及び調理部の高さ位置設定を行う係止機構を設けてなることを特徴とするものである。
【００１１】
従って調理部を上方に持ち上げ、所望位置で支持脚部を箱状本体周壁に係止すると、調理部と火床部との距離を調整でき、所望の火力による調理が可能となる。
【００１２】
本発明（請求項２）に係るバーベキュー用コンロは、前記構成において、更に支持脚部を構成する支持脚のうち、対向する一対を傾斜支持脚とし、前記傾斜支持脚の傾斜角度方向にスライド移動するガイド機構を設け、前記傾斜支持脚の下面側と、前記下面と対接する箱状本体周壁側との間に係止機構を設けてなるものであるから、傾斜支持脚の傾斜角度で移動すると共に、調理部の自重によって所定位置で簡単に係止でき、且つ調理部の持ち上げで係止解除がなされるもので、操作性において優れたものとなり、また上方移動とともに背面側に移動して本体の上方開口部の前方側が開口するので燃料補給を容易に行うことができる。
【００１３】
また本発明（請求項４）に係るバーベキュー用コンロは、調理部を、支持脚を備えると共に両側外方に把手部を付設した枠体と、枠体内に配置できる調理板部で構成したもので、調理板部として鉄板や網体或いは双方の組み合わせを採用でき、また外方突出の把手部によって調理部の上下操作を安全に且つ容易に行うことができる。
【発明の効果】
【００１４】
本発明は上記の構成であるから、非常に簡単な構造の採用によって調理部の高さ調整が容易に行うことができ、しかも高さ調整のための構造物が調理作業の邪魔にならないものである。またスライド方向を斜め後方とすることで、調理途中の燃料補給も容易に実施することができたものである。
【図面の簡単な説明】
【００１５】
【図１】本発明の実施形態の全体斜視図（調理時）。
【図２】同図（調理部の引上げ状態）。
【図３】同断面図（調理時）。
【図４】同図（調理部の引上げ状態）。
【発明を実施するための形態】
【００１６】
次に本発明の実施の形態について説明する。実施形態に示したバーベキュー用コンロは、基本的には従前の物と同様で、本体部１と、調理部２と、調理部２の支持機構３で構成されている。
【００１７】
本体部１は、箱状本体１１に適宜な脚１２を備え、箱状本体１１の内部に火床部１３を内設すると共に、周壁の適宜位置に多数の空気孔１４を設けたものである。
【００１８】
調理部２は、側方へ突出させた把手部２１を付設したＬ状断面の枠体２２と、前記枠体２２の内側に載置される調理板部（鉄板２３、網体２４）とで構成される。
【００１９】
支持機構３は、ガイド機能と係止機能を備えるもので、枠体の側面前方側より垂設した前方支持脚３１と、側面後方側から前方支持脚３１の下方へ垂設した傾斜支持脚３２を備え、前記支持脚３１,３２の交差箇所に側方へ突出する突軸３３を形成する。
【００２０】
また箱状本体１１の傾斜支持脚３２の下方部分と対面する周壁に傾斜ガイド孔３４を設けて、前記突軸３３を傾斜ガイド孔３４にスライド可能に挿通してなる。
【００２１】
更に傾斜支持脚３２の上方部分と対面する周壁に傾斜支持脚３２が通過するガイド枠（係止部）３５を設け、傾斜支持脚３２の下面側に、前記ガイド枠３５と対接する位置に、適宜間隔で係止凹部３６を設けてなる。
【００２２】
而して突軸３３が傾斜ガイド孔３４の最下方に位置すると、当該位置で枠体２２の側方把手部２１が箱状本体１１の上縁に載置された状態や、或いは傾斜支持脚３２の係止凹部３６がガイド枠３５に係止した状態で調理部２が最下方位置で収まり、通常の加熱調理の状態となる。
【００２３】
次に調理途中において、燃料補充が必要となったり、火力調整が必要となった場合には、本体部１の後方に立ち、把手部２１を持って傾斜ガイド孔３４の方向に引上げると、係止凹部３６のガイド枠３５への係止が解除（調理部２を持ち上げると解除される）され、傾斜支持脚３２の傾斜方向に調理部２を移動させ、適宜間隔で設けられている係止凹部３６を適宜選択してガイド枠３５に係止（調理部２の自重で係止される）すると、当該位置で調理部２が安定する。
【００２４】
従って係止凹部３６の間隔に対応して調理部２の高さを任意に調整することで、調理火力の調整が可能となるものである。また調理部２の上方移動とともに背面側に移動し、箱状本体１１の上方開口部の前方側が開口するので、燃料補給を容易に行うことができるものである。
【００２５】
尚係止構造における係止凹部３６は、所望の間隔で任意に設けることで、微妙な火力調整も可能であり、また係止機構は、前記のガイド枠と係止凹部の係合構造に限定されるものではなく、傾斜ガイド孔３４に設けた多段凹部と突軸３３との係合構造を採用するなど任意に定められるものである。
【符号の説明】
【００２６】
１          本体部
１１        箱状本体
１２        脚
１３        火床部
１４        空気孔
２          調理部
２１        把手部
２２        枠体
２３        鉄板（調理板部）
２４        網体（調理板部）
３          支持機構
３１        前方支持脚
３２        傾斜支持脚
３３        突軸
３４        傾斜ガイド孔
３５        ガイド枠（係止部）
３６        係止凹部
【図１】
2010002177.tif 000003
【図２】
2010002177.tif 000004
【図３】
2010002177.tif 000005
【図４】
2010002177.tif 000006